(57)【要約】【課題】ネットワークの負荷を増大させることなく、各ユーザの端末に対して個々に適切なコンテンツのみを配信することができるシステムを提供する。【解決手段】ページングチャネル（ＰＣＨ）によりコンテンツ配信スケジュールを通知し、共通トラフィックチャネル（ＣＴＣＨ）により、このコンテンツ配信スケジュールに従って、端末１００に対してコンテンツを一斉配信する。端末１００では、コンテンツ配信スケジュールで送られてくるジャンルの情報を参照し、配信を希望するジャンルのコンテンツの配信タイミングに応じて受信タイミングを設定する。これにより、トラフィックを増大させることなく、ユーザが予め設定したジャンルのコンテンツのみを選択的に受信することが可能となる。【選択図】図１
2011082905.tif 000002
【特許請求の範囲】
【請求項１】
無線ネットワークを介して端末にコンテンツを配信するコンテンツ配信システムであって、
配信するコンテンツをジャンル毎に蓄積するコンテンツサーバと、
コンテンツ配信スケジュールをページングチャネルにより端末に対して通知し、前記コンテンツ配信スケジュールに従って、前記ジャンル毎のコンテンツを共通トラフィックチャネルにより前記端末に対して一斉配信する基地局と、
前記基地局から通知されてきたコンテンツ配信スケジュールを受信すると、当該受信したコンテンツ配信スケジュール情報と予め設定された取得希望ジャンル情報とを参照して受信タイミングを設定し、当該設定した受信タイミングで、前記基地局から一斉配信されてきた各ジャンル毎のコンテンツを選択的に受信して保存する端末と
を備えることを特徴とするコンテンツ配信システム。
【請求項２】
前記配信されるコンテンツは、各ジャンル毎に時分割され、前記時分割された各タイミングで各ジャンルの件数分のコンテンツが繰り返し送信されることを特徴とする請求項１に記載のコンテンツ配信システム。
【請求項３】
前記コンテンツ配信スケジュールは、各ジャンルの配信タイミング情報と、配信されるコンテンツ数情報とを含むことを特徴とする請求項１又は２に記載のコンテンツ配信システム。
【請求項４】
前記端末は、前記コンテンツ配信スケジュールで送られてきたコンテンツ数情報と、取得したコンテンツ数とを比較し、前記取得したコンテンツの数が前記コンテンツ配信スケジュールで送られてきたコンテンツ数に達するまで、コンテンツの受信を繰り返し行うことを特徴とする請求項３に記載のコンテンツ配信システム。
【請求項５】
前記端末は、前記基地局からのコンテンツ配信スケジュールを受信して選択可能なジャンルを設定することを特徴とする請求項１から４の何れかに記載のコンテンツ配信システム。
【請求項６】
無線ネットワークを介してコンテンツを配信するコンテンツ配信システムの端末装置であって、
ユーザが取得を希望するジャンルを設定する手段と、
基地局からのコンテンツ配信スケジュールを受信すると、当該受信したコンテンツ配信スケジュール情報と予め設定された取得希望ジャンル情報とを参照して受信タイミングを設定する手段と、
前記基地局から各ジャンル毎のコンテンツが一斉配信されてくると、前記設定された受信タイミングで、前記基地局からの各ジャンル毎のコンテンツを選択的に受信して保存する手段と
を備えることを特徴とする端末装置。
【請求項７】
前記設定された受信タイミング以外では、通信をオフするようにしたことを特徴とする請求項６に記載の端末装置。
【請求項８】
無線ネットワークを介して端末にコンテンツを配信するコンテンツ配信方法であって、
コンテンツサーバは、配信するコンテンツをジャンル毎に蓄積し、
基地局は、コンテンツ配信スケジュールをページングチャネルにより端末に対して通知し、
端末は、前記基地局から通知されてきたコンテンツ配信スケジュールを受信すると、当該受信したコンテンツ配信スケジュール情報と予め設定された取得希望ジャンル情報とを参照して受信タイミングを設定し、
前記基地局は、前記コンテンツ配信スケジュールに従って、各ジャンル毎のコンテンツを共通トラフィックチャネルにより前記端末に対して一斉配信し、
前記端末は、前記設定した受信タイミングで、前記基地局から一斉配信されてきた各ジャンル毎のコンテンツを選択的に受信して保存する
ことを特徴とするコンテンツ配信方法。
【発明の詳細な説明】
【技術分野】
【０００１】
本発明は、無線ネットワークを介して端末にコンテンツを配信するコンテンツ配信システム、端末装置、コンテンツ配信方法に関する。
【背景技術】
【０００２】
携帯電話等、通信機能を持つ端末を持つユーザの端末へニュースやアプリケーション等のコンテンツを配信する場合、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）等で定義されるセルブロードキャストサービス（ＣＢＳ：Ｃｅｌｌ  Ｂｒｏａｄｃａｓｔ  Ｓｅｒｖｉｃｅ）を用い、同一セル内の共通トラフィックチャネル（ＣＴＣＨ：Ｃｏｍｍｏｎ  Ｔｒａｆｆｉｃ  Ｃｈａｎｎｅｌ）を通して、複数のユーザの端末に同一のコンテンツを一斉配信することが可能である。
【０００３】
しかしながら、セルブロードキャストシステムでは、年齢、性別、嗜好を問わず特定エリア内に在圏するユーザに対して一斉配信されるため、あるユーザにとって嗜好に合わないコンテンツが配信されたり、未成年に有害なコンテンツが配信されたりする場合がある。
【０００４】
例えば、特許文献１には、共通トラフィックチャネル（ＣＴＣＨ）を用いて、広告を一斉配信するシステムが提案されている。このようなシステムでは、複数の端末に対して、同一の広告が一斉配信される。しかしながら、このシステムでは、ユーザの年齢、性別、嗜好等に合わせた広告を配信することが難しい。
【０００５】
この問題を解決するためには、基地局とユーザ端末との通信を個々に確立し、個別チャネルを通して、ユーザが興味のあるコンテンツを配信するようにすることが考えられる。ところが、個別チャネルを通してコンテンツを配信すると、ユーザ数だけ通信確立を行う必要があるため、ネットワーク側の負荷が増加してしまう。
【０００６】
また、特許文献２には、共通制御チャネルで、コンテンツＩＤ、コンテンツ名、放送開始時刻等のコンテンツの案内情報を含む同報制御情報を送信し、各端末で同報制御情報に基づいて所望のコンテンツの配信時刻を設定し、所望のコンテンツの配信時刻になったら、同報チャネルを受信して、同報チャネルで送られてきたコンテンツを受信するようにしたものが記載されている。
【０００７】
しかしながら、特許文献２では、共通制御チャネルで送信されてきた同報制御情報から、各端末側で配信されてくるコンテンツを確認し、端末側で個々のコンテンツを指定する必要があり、ユーザの嗜好に合わせたジャンルのコンテンツだけを取得していくことは困難である。また、特許文献２では、制御フレームに同報チャネルで送信する個々のコンテンツの同報制御情報を含めているため、制御フレームの構造が複雑となり、トラフィックの増加を招く。
【先行技術文献】
【特許文献】
【０００８】
【特許文献１】特開２０００−２９５１７０号公報
【特許文献２】特開平１１−３３１０７０号公報
【発明の概要】
【発明が解決しようとする課題】
【０００９】
このように、共通トラフィックチャネル（ＣＴＣＨ）を通して、複数の端末に同一のコンテンツを一斉配信すると、ネットワークの負荷は軽減できるが、ユーザの嗜好に合わせたジャンルのコンテンツだけを取得することが難しくなる。また、個別チャネルを通してコンテンツを配信すると、ユーザの嗜好に合わせたコンテンツを配信することは容易になるが、ネットワーク側の負荷が増加してしまう。
【００１０】
上述の課題を鑑み、本発明は、ネットワークの負荷を増大させることなく、各ユーザの端末に対して個々に適切なコンテンツのみを配信することができるコンテンツ配信システム、端末装置、コンテンツ配信方法を提供することを目的とする。
【課題を解決するための手段】
【００１１】
上述の課題を解決するために、本発明は、無線ネットワークを介して端末にコンテンツを配信するコンテンツ配信システムであって、配信するコンテンツをジャンル毎に蓄積するコンテンツサーバと、コンテンツ配信スケジュールをページングチャネルにより端末に対して通知し、コンテンツ配信スケジュールに従って、各ジャンル毎のコンテンツを共通トラフィックチャネルにより端末に対して一斉配信する基地局と、基地局から通知されてきたコンテンツ配信スケジュールを受信すると、この受信したコンテンツ配信スケジュール情報と予め設定された取得希望ジャンル情報とを参照して受信タイミングを設定し、この設定した受信タイミングで、基地局から一斉配信されてきた各ジャンル毎のコンテンツを選択的に受信して保存する端末とを備えることを特徴とする。
【００１２】
本発明は、無線ネットワークを介してコンテンツを配信するコンテンツ配信システムの端末装置であって、ユーザが取得を希望するジャンルを設定する手段と、基地局からのコンテンツ配信スケジュールを受信すると、この受信したコンテンツ配信スケジュール情報と予め設定された取得希望ジャンル情報とを参照して受信タイミングを設定する手段と、基地局から各ジャンル毎のコンテンツが一斉配信されてくると、設定された受信タイミングで、基地局からの各ジャンル毎のコンテンツを選択的に受信して保存する手段とを備えることを特徴とする。
【００１３】
本発明は、無線ネットワークを介して端末にコンテンツを配信するコンテンツ配信方法であって、コンテンツサーバは、配信するコンテンツをジャンル毎に蓄積し、基地局は、コンテンツ配信スケジュールをページングチャネルにより端末に対して通知し、端末は、基地局から通知されてきたコンテンツ配信スケジュールを受信すると、この受信したコンテンツ配信スケジュール情報と予め設定された取得希望ジャンル情報とを参照して受信タイミングを設定し、基地局は、コンテンツ配信スケジュールに従って、各ジャンル毎のコンテンツを共通トラフィックチャネルにより端末に対して一斉配信し、端末は、設定した受信タイミングで、基地局から一斉配信されてきた各ジャンル毎のコンテンツを選択的に受信して保存することを特徴とする。
【発明の効果】
【００１４】
本発明によれば、ページングチャネルによりコンテンツ配信スケジュールを通知し、共通トラフィックチャネルにより、このコンテンツ配信スケジュールに従って、端末に対してコンテンツを一斉配信し、端末では、コンテンツ配信スケジュールで送られてくるジャンルの情報を参照し、配信を希望するジャンルのコンテンツの配信タイミングに応じて受信タイミングを設定することで、ユーザが予め設定したジャンルのコンテンツのみを選択的に受信している。これにより、通信トラフィックに負荷をかけずに、各ユーザに必要なジャンルのコンテンツのみを配信することが可能である。
【図面の簡単な説明】
【００１５】
【図１】本発明の第１の実施形態のコンテンツ配信システムの構成を示すブロック図である。
【図２】本発明の第１の実施形態のコンテンツ配信システムにおけるコンテンツサーバ内のコンテンツの説明図である。
【図３】本発明の第１の実施形態のコンテンツ配信システムにおけるコンテンツ配信スケジュールの説明図である。
【図４】本発明の第１の実施形態のコンテンツ配信システムにおけるコンテンツの配信タイミングの説明図である。
【図５】本発明の第１の実施形態のコンテンツ配信システムにおける取得希望ジャンルの設定情報の説明図である。
【図６】本発明の第１の実施形態のコンテンツ配信システムの動作説明に用いるフローチャートである。
【図７】本発明の第１の実施形態のコンテンツ配信システムの具体的動作の説明に用いるブロック図である。
【図８】本発明の第１の実施形態のコンテンツ配信システムにおけるコンテンツサーバ内のコンテンツの具体例の説明図である。
【図９】本発明の第１の実施形態のコンテンツ配信システムにおけるジャンル設定画面の具体例の説明図である。
【図１０】本発明の第１の実施形態のコンテンツ配信システムにおけるコンテンツ配信スケジュールの具体例の説明図である。
【図１１】本発明の第１の実施形態のコンテンツ配信システムにおけるコンテンツの配信タイミングと端末の受信タイミングとの具体例の説明図である。
【図１２】本発明の第１の実施形態のコンテンツ配信システムにおけるコンテンツ取得完了画面の具体例の説明図である。
【図１３】本発明の他の実施形態のコンテンツ配信システムの説明図である。
【発明を実施するための形態】
【００１６】
以下、本発明の実施の形態につて図面を参照しながら説明する。図１は、本発明の第１の実施形態のコンテンツ配信システムの構成を示すものである。図１に示すように、本発明の第１の実施形態のコンテンツ配信システムは、端末１００と、基地局２００と、コンテンツサーバ３００とから構成されている。
【００１７】
コンテンツサーバ３００は、複数のコンテンツをジャンル毎に蓄積している。コンテンツサーバ３００からのコンテンツは、基地局２００に送られ、基地局２００から端末１００に、無線ネットワークにより配信される。
【００１８】
なお、図１では、基地局２００は１つのみ図示されているが、基地局２００は、所定の領域のセル毎に複数設けられている。また、コンテンツサーバ３００と複数の基地局２００とは、ネットワークを介して接続することができる。また、図１では、端末１００は１つのみ図示されているが、各基地局２００のセル内には、複数の端末１００が設けられている。
【００１９】
図２は、コンテンツサーバ３００に蓄積されているコンテンツの一例である。図２の例では、コンテンツサーバ３００には、ジャンルＡのコンテンツとしてコンテンツＡ−１、Ａ−２の２件が蓄積され、ジャンルＢのコンテンツとしてコンテンツＢ−１の１件が蓄積され、ジャンルＣのコンテンツとしてコンテンツＣ−１、Ｃ−２、Ｃ−３の３件が蓄積され、ジャンルＤのコンテンツとしてコンテンツＤ−１、Ｄ−２の２件が蓄積されている。
【００２０】
基地局２００は、ページングチャネル（ＰＣＨ）により、コンテンツ配信スケジュールを基地局２００のセルに在圏の端末１００に対して通知する。そして、基地局２００は、共通トラフィックチャネル（ＣＴＣＨ）により、このコンテンツ配信スケジュールに従って、基地局２００のセルに在圏の端末１００に対してコンテンツを一斉配信する。
【００２１】
図３は、基地局２００からページングチャネル（ＰＣＨ）により通知されるコンテンツ配信スケジュールの一例である。コンテンツ配信スケジュールとしては、各ジャンルの配信タイミング情報と、配信されるコンテンツ数情報が含められる。
【００２２】
図３のコンテンツ配信スケジュールの例では、ジャンルＡの配信スケジュールは、配信タイミングＴ１で、コンテンツ数は２件であることが示されている。また、ジャンルＢの配信スケジュールは、配信タイミングＴ２で、コンテンツ数は１件であることが示されている。また、ジャンルＣの配信スケジュールは、配信タイミングＴ３で、コンテンツ数は３件であることが示されている。また、ジャンルＤの配信スケジュールは、配信タイミングＴ４で、コンテンツ数は２件であることが示されている。
【００２３】
図４は、図３に示したコンテンツ配信スケジュールに従って、基地局２００からトラフィックチャネル（ＣＴＣＨ）で一斉配信されるコンテンツの一例である。
【００２４】
図４に示すように、各コンテンツは、共通トラフィックチャネル（ＣＴＣＨ）で時分割により送信される。図３に示したコンテンツ配信スケジュールの例では、送信するジャンルがジャンルＡ〜ジャンルＤの４ジャンルある。この場合、共通トラフィックチャネル（ＣＴＣＨ）には、配信タイミングＴ１（Ｔ１−１、Ｔ１−２、…）〜Ｔ４（Ｔ４−１、Ｔ４−２、…）の４つのタイミングが設定される。そして、各配信タイミングＴ１〜Ｔ４で、コンテンツ配信スケジュールに従い、それぞれのジャンルのコンテンツが送信される。各配信タイミングで各ジャンルの件数分のコンテンツの送信が終了すると、次回タイミングからは、各ジャンルのコンテンツの再送が繰り返して行われる。
【００２５】
すなわち、図４に示すように、ジャンルＡのコンテンツについては、配信タイミングＴ１（Ｔ１−１、Ｔ１−２）で、２件のコンテンツＡ−１、Ａ−２が送信される。そして、次回以降の配信タイミングＴ１（Ｔ１−３、…）では、２件のコンテンツＡ−１、Ａ−２が繰り返して再送信される。ジャンルＢのコンテンツについては、配信タイミングＴ２（Ｔ２−１）で１件のコンテンツＢ−１が送信される。そして、次回以降の配信タイミングＴ２（Ｔ２−２、Ｔ２−３、…）では、ジャンルＢのコンテンツＢ−１が繰り返して再送信される。ジャンルＣのコンテンツについては、配信タイミングＴ３（Ｔ３−１、Ｔ３−２、Ｔ３−３）で、３件のコンテンツＣ−１、Ｃ−２、Ｃ−３が送信される。そして、次回以降の配信タイミングＴ３では、ジャンルＢの３件のコンテンツＣ−１、Ｃ−２、Ｃ−３が繰り返して再送信される。ジャンルＤのコンテンツについては、配信タイミングＴ４（Ｔ４−１、Ｔ４−２）で、２件のコンテンツＤ−１、Ｄ−２が送信される。そして、次回以降の配信タイミングＴ４（Ｔ４−３、…）では、ジャンルＤの２件のコンテンツＤ−１、Ｄ−２が繰り返して再送信される。
【００２６】
図１において、端末１００内部には、ユーザへのメッセージ等表示を行う表示部１０１と、端末１００全体の動作や通信制御を行う演算器１０２と、各種データを保持するメモリ１０３と、ユーザからの操作を行う操作部１０４とが設けられている。
【００２７】
基地局２００からページングチャネル（ＰＣＨ）により、図３に示したように、コンテンツ配信スケジュールが通知され、端末１００は、このコンテンツ配信スケジュールが受信する。そして、端末１００は、このコンテンツ配信スケジュール情報をメモリ１０３に保存する。
【００２８】
また、端末１００の表示部１０１には、取得するコンテンツのジャンルの選択画面が表示される。この選択画面で、ユーザは、操作部１０４により、取得を希望するコンテンツのジャンルを選択する。この取得希望ジャンル情報は、メモリ１０３に保存される。
【００２９】
図５は、メモリ１０３内に設定された取得希望ジャンル情報の一例である。この例では、ジャンルＡ〜ジャンルＤのうち、ジャンルＡとジャンルＣが取得希望のジャンルとして設定され、ジャンルＢとジャンルＤは取得を希望しないジャンルとして設定されている。
【００３０】
端末１００でコンテンツ配信スケジュールが受信されると、端末１００の演算器１０２は、受信したコンテンツ配信スケジュール情報（図３参照）と、ユーザにより予め設定された取得希望ジャンル情報（図５参照）とを参照し、取得を希望するジャンルのコンテンツの受信タイミングを設定する。すなわち、コンテンツ配信スケジュールは、各ジャンルの配信タイミング情報と、配信されるコンテンツ数情報を含んでいる。コンテンツ配信スケジュールが受信されると、端末１００の演算器１０２は、受信したコンテンツ配信スケジュールの情報中にユーザが設定した取得希望ジャンルがあるかどうかを判定し、取得希望ジャンルがある場合には、その配信タイミングに応じて、共通トラフィックチャネル（ＣＴＣＨ）の受信タイミングを設定する。例えば、端末１００がジャンルＡのコンテンツとジャンルＣのコンテンツを取得する場合には、図３に示したコンテンツ配信スケジュールから、ジャンルＡの配信タイミングＴ１とジャンルＣの配信タイミングＴ３とが受信タイミングとして設定される。
【００３１】
基地局２００からは、共通トラフィックチャネル（ＣＴＣＨ）で、各コンテンツの配信タイミングに従って、各ジャンルのコンテンツが送信されてくる。一方、端末１００には、取得を希望するジャンルに応じて、受信タイミングが設定されている。取得を希望するコンテンツの配信タイミングになると、基地局２００から共通トラフィックチャネル（ＣＴＣＨ）で送信されてきたコンテンツが端末１００で選択的に受信され、メモリ１０３に保存される。
【００３２】
すなわち、図５に示したように、ジャンルＡとジャンルＣとが取得希望のジャンルとして設定された場合には、ジャンルＡのコンテンツが送られてくる配信タイミングＴ１と、ジャンルＣのコンテンツが送られてくる配信タイミングＴ３で、端末１００の受信タイミングが設定される。これにより、端末１００には、図４におけるジャンルＡのコンテンツＡ−１、Ａ−２と、ジャンルＣのコンテンツＣ−１、Ｃ−２、Ｃ−３とが受信される。一方、ジャンルＢのコンテンツが送られてくる配信タイミングＴ２と、ジャンルＤのコンテンツが送られてくる配信タイミングＴ４では、端末１００の受信タイミングは設定されない。このため、ジャンルＢのコンテンツとジャンルＤのコンテンツは受信されない。
【００３３】
また、端末１００の演算器１０２は、コンテンツ配信スケジュールで送られてコンテンツの数の情報と、取得したコンテンツ数とを比較し、取得したコンテンツ数がコンテンツ配信スケジュールで送られてきたコンテンツ数に達するまで、コンテンツの受信を繰り返し行う。
【００３４】
すなわち、例えば、端末１００で、ジャンルＡのコンテンツの取得する場合には、端末１００は、図３に示すようなコンテンツ配信スケジュールから、ジャンルＡのコンテンツ数は２件であることが判定される。端末１００では、図４に示したように、コンテンツＡ−１が配信タイミングＴ１−１で受信され、コンテンツＡ−２が配信タイミングＴ１−２で受信されると、この時点で、取得したコンテンツ数がコンテンツ配信スケジュールで送られてきたコンテンツ数と等しい２件となり、ジャンルＡのコンテンツの受信が完了する。
【００３５】
これに対して、端末１００が電界不良等で、図４における配信タイミングＴ１−１のコンテンツＡ−１を受信できなかったとする。この場合には、配信タイミングＴ１−２では、取得したコンテンツの数が１件であり、コンテンツ配信スケジュールで送られてきたコンテンツ数である２件に達していない。このため、端末１００は、次の配信タイミングＴ１−３の受信を行う。これにより、配信タイミングＴ１−３でコンテンツＡ−１が受信されることになり、コンテンツの取りこぼしが防止できる。
【００３６】
図６は、端末１００の演算器１０２の処理を示すフローチャートである。図６において、端末１００は待受中に基地局２００からページングチャネル（ＰＣＨ）でコンテンツ配信スケジュールを受信した場合、演算器１０２は、このコンテンツ配信スケジュールをメモリ１０３内に格納する（ステップＦ１）。次に、演算器１０２は、予めユーザ操作によりメモリ１０３内に格納した取得希望ジャンル情報を読み込む（ステップＦ２）。
【００３７】
次に、演算器１０２は、ステップＦ１で取得したコンテンツ配信スケジュールと、ステップＦ２で取得した取得希望ジャンルとを照合し、コンテンツ配信スケジュールにユーザが設定した配信取得希望ジャンルが含まれているかを確認する（ステップＦ３）。コンテンツ配信スケジュールに取得希望ジャンルが無い場合には（ステップＦ３のＮｏ）、コンテンツ受信不要のため、本処理は終了する。
【００３８】
コンテンツ配信スケジュールに取得希望ジャンルがある場合には（ステップＦ３のＹｅｓ）、演算器１０２は、コンテンツ配信スケジュールに従って、取得希望のジャンルのコンテンツが配信される配信タイミングを待ち（ステップＦ４）、コンテンツ受信タイミングになったか判定する（ステップＦ５）。このように、ステップＦ４、ステップＦ５で、取得希望のジャンルのコンテンツの配信タイミングまで、受信待ちの状態とすることで、不要なコンテンツを受信することが防止される。また、受信待ちの状態では、通信部の動作を停止させることで、端末１００のバッテリをセーブすることができる。
【００３９】
ステップＦ５にて、取得を希望するジャンルのコンテンツ受信タイミングになると（ステップＦ５のＹｅｓ）、演算器１０２は、共通トラフィックチャネル（ＣＴＣＨ）によりコンテンツを受信し、メモリ１０３への格納を行う（ステップＦ６）。以後、コンテンツ配信スケジュールで送られてきたコンテンツの数の情報と、取得したコンテンツ数とを比較して、ユーザが設定した取得希望ジャンルのコンテンツを全て取得したか判断し（ステップＦ７）、まだ取得していない場合には（ステップＦ７のＮｏ）、ステップＦ４からステップＦ６のコンテンツ受信を繰り返し行う。
【００４０】
ユーザが設定した取得希望ジャンルのコンテンツを全て取得した場合には（ステップＦ７のＹｅｓ）、表示部１０１にてユーザにコンテンツ取得完了を通知し（ステップＦ８）、待受状態に遷移して処理を終了する。
【００４１】
このように、本発明の第１の実施形態では、ページングチャネル（ＰＣＨ）によりコンテンツ配信スケジュールを通知し、共通トラフィックチャネル（ＣＴＣＨ）により、このコンテンツ配信スケジュールに従って、端末１００に対してコンテンツを一斉配信し、端末１００では、コンテンツ配信スケジュールで送られてくるジャンルの情報を参照し、配信を希望するジャンルのコンテンツの配信タイミングに応じて受信タイミングを設定することで、ユーザが予め設定したジャンルのコンテンツのみを選択的に受信することが可能となる。
【００４２】
次に、本発明の第１の実施形態によるコンテンツの配信の具体例について説明する。図７に示すように、基地局２００のセルの在圏に、２つの端末１００ａと１００ｂとがあるとする。そして、コンテンツサーバ３００には、図８に示すように、ジャンル「音楽」のコンテンツとして、「ＣＤ新譜情報」、「アーチスト情報」の２件のコンテンツがあり、ジャンル「映画」のコンテンツとして、「公開スケジュール」の１件のコンテンツがあり、ジャンル「グルメ」のコンテンツとして、「最寄店情報」、「クーポン」、「ラーメン店ランキング」の３件のコンテンツがあり、ジャンル「ショッピング」のコンテンツとして、「最寄店情報」、「通販情報」の２件のコンテンツがあるとする。
【００４３】
図９は、このときの端末１００ａ及び１００ｂのジャンル選択画面を示すものである。上述のように、コンテンツのジャンルが「音楽」、「映画」、「グルメ」、「ショッピング」の場合、端末１００ａ及び１００ｂの表示部１０１ａ及び１０１ｂには、図９に示すように、「音楽」、「映画」、「グルメ」、「ショッピング」のジャンル選択画面が表示される。ユーザは、このジャンル選択画面を見て、操作部１０４ａ及び１０４ｂを操作して、取得希望のジャンルを選択する。
【００４４】
ここで、端末１００ａのユーザは、「音楽」と「グルメ」のジャンルのコンテンツを取得希望ありに設定し、端末１００ｂのユーザは「音楽」と「映画」のジャンルのコンテンツを取得希望ありのコンテンツに設定したとする。
【００４５】
図１０に示すように、基地局２００からは、ページングチャネル（ＰＣＨ）により、コンテンツ配信スケジュールが通知される。図１０に示すように、ジャンルが「音楽」のコンテンツは配信タイミングＴ１で、２件送られる。ジャンルが「映画」のコンテンツは配信タイミングＴ２で、１件送られる。ジャンルが「グルメ」のコンテンツは配信タイミングＴ３で、３件送られる。ジャンルが「ショッピング」のコンテンツは配信タイミングＴ４で、２件送られる。
【００４６】
そして、基地局２００からは、共通トラフィックチャネル（ＣＴＣＨ）で、コンテンツが一斉配信される。
【００４７】
図１１は、基地局２００から共通トラフィックチャネル（ＣＴＣＨ）で一斉配信されるコンテンツと、端末１００ａ及び１００ｂの受信タイミングを示している。なお、図中、“マル”のタイミングでコンテンツを受信し、“バツ”のタイミングではコンテンツ受信は行わない。
【００４８】
前述したように、端末１００ａでは、「音楽」のジャンルと「グルメ」のジャンルとが取得希望ジャンルとして選択されている。ジャンルが「音楽」の配信タイミングはＴ１であり、コンテンツ数は２件である。また、ジャンルが「グルメ」の配信タイミングはＴ３であり、コンテンツ数は３件である。
【００４９】
端末１００ａでは、ジャンルが「音楽」のコンテンツを受信するために、配信タイミングＴ１（Ｔ１−１、Ｔ１−２）で共通トラフィックチャネル（ＣＴＣＨ）を受信する受信タイミングに設定され、２件のコンテンツを受信すると、ジャンルが「音楽」のコンテンツについては受信完了となる。また、ジャンルが「グルメ」のコンテンツを受信するために、配信タイミングＴ３（Ｔ３−１、Ｔ３−２、Ｔ３−３）で共通トラフィックチャネル（ＣＴＣＨ）を受信する受信タイミングに設定され、３件のコンテンツを受信すると、ジャンルが「グルメ」のコンテンツについては受信完了となる。
【００５０】
一方、端末１００ｂでは、「音楽」のジャンルと「映画」のジャンルを取得希望ジャンルとして選択している。ジャンルが「音楽」の配信タイミングはＴ１であり、コンテンツ数は２件である。また、ジャンルが「映画」の配信タイミングはＴ２であり、コンテンツ数は１件である。
【００５１】
端末１００ｂでは、ジャンルが「音楽」のコンテンツを受信するために、配信タイミングＴ１（Ｔ１−１、Ｔ１−２）で共通トラフィックチャネル（ＣＴＣＨ）を受信する受信タイミングに設定され、２件のコンテンツを受信すると、ジャンルが「音楽」のコンテンツについては受信完了となる。また、ジャンルが「映画」のコンテンツを受信するために、配信タイミングＴ２（Ｔ２−１）で共通トラフィックチャネル（ＣＴＣＨ）を受信する受信タイミングに設定され、１件のコンテンツを受信すると、ジャンルが「映画」のコンテンツについては受信完了となる。
【００５２】
上述のようにして、端末１００ａ及び１００ｂで、ユーザが希望するコンテンツの受信を完了すると、図１２に示すように、端末１００ａ及び端末１００ｂの表示部１０１ａ及び表示部１０１ｂには、コンテンツの取得完了画面が表示される。このコンテンツの取得終了画面には、コンテンツ受信を完了したこと及び受信したコンテンツの数が示される。
【００５３】
すなわち、端末１００ａの表示部１０１ａには、ジャンルが「音楽」のコンテンツを２件取得し、ジャンルが「グルメ」のコンテンツを３件取得したことが表示される。また、端末１００ｂの表示部１０１ｂには、ジャンルが「音楽」のコンテンツを２件取得し、ジャンルが「映画」のコンテンツを１件取得したことが表示される。
【００５４】
以上説明したことから、本発明の実施形態においては、以下に記載するような効果がある。すなわち、基地局２００のセルに対し複数の端末１００が在圏している状態において、共通トラフィックチャネル（ＣＴＣＨ）を用いて同一のコンテンツを一斉配信しても、端末１００側で必要なコンテンツを選択して受信するため、基地局２００に在圏する各端末１００に個別にチャネルを設定し、個別のコンテンツを配信するよりも、通信トラフィックに負荷をかけずに、各ユーザに必要なコンテンツのみを配信することが可能となる。
【００５５】
また、本発明の実施形態においては、コンテンツ配信スケジュールとして、各ジャンルのコンテンツの配信タイミングの情報とコンテンツ数の情報とを送信し、各配信タイミングで、各ジャンルのコンテンツを再送信している。このため、端末１００側では、各ジャンルのコンテンツを確実に受信できる。また、コンテンツ配信スケジュールが各ジャンルのコンテンツの配信タイミングの情報とコンテンツ数の情報とに限定されているため、コンテンツ配信スケジュールが複雑にならず、トラフィックの増加を防止できる。
【００５６】
また、本発明の実施形態においては、端末１００側は、必要なコンテンツを端末が判断し、不要なコンテンツが送信される配信タイミングでは通信をオフして受信を行わないため、端末１００に搭載したバッテリ消費の抑制も行うことが可能となる。
【００５７】
本発明は、上述した実施形態に限定されるものではなく、この発明の要旨を逸脱しない範囲内で様々な変形や応用が可能である。
【００５８】
例えば、端末１００側で取得希望を設定するためのジャンルは、予めメモリ１０３に記憶させておいても良いし、基地局２００から送られてくるコンテンツ配信スケジュールを受信して設定しても良い。
【００５９】
また、コンテンツサーバ３００が配信するジャンルが増えた場合を想定し、端末１００は内部で持つジャンルの一覧と、コンテンツ配信スケジュールのジャンルを比較し、ジャンルが増えている場合には、図１３に示すように、追加されたジャンルを取得するか否かを選択画面を表示部１０１に表示し、ユーザにジャンルの追加を選択させることで、以後のコンテンツ受信に反映することでジャンルの増加に対応可能としても良い。
【符号の説明】
【００６０】
１００：端末
１０１：表示部
１０２：演算器
１０３：メモリ
１０４：操作部
１０５：メモリ
２００：基地局
３００：コンテンツサーバ
【図１】
2011082905.tif 000003
【図２】
2011082905.tif 000004
【図３】
2011082905.tif 000005
【図４】
2011082905.tif 000006
【図５】
2011082905.tif 000007
【図６】
2011082905.tif 000008
【図７】
2011082905.tif 000009
【図８】
2011082905.tif 000010
【図９】
2011082905.tif 000011
【図１０】
2011082905.tif 000012
【図１１】
2011082905.tif 000013
【図１２】
2011082905.tif 000014
【図１３】
2011082905.tif 000015